(57)【要約】      （修正有）【課題】キートップシートあるいはプッシャーシートに対するスライドシートの貼り付きを防止して、円滑なスライド性を確保できるキーシートおよびこのキーシートを用いた携帯電子機器を提供する。【解決手段】透明部５１ａを有するキートップシート５１と、キートップシート５１とドームスイッチ５２との間に設けられたプッシャーシート５３と、キートップシート５１とプッシャーシート５３との間に第１の表記部５８および第２の表記部５９を有するスライドシート５４とを積層してキーシート５０を構成し、スライドシート５４あるいはスライドシート５４と面接触するキートップシート５１およびプッシャーシート５３の少なくとも一方の一部に凹凸６１を設けたので、接触面同士の密着を緩和することができ、スライドシート５４のスライド性を確保できる。【選択図】図５
2010079530.tif 000002
【特許請求の範囲】
【請求項１】
所定位置に透明部が設けられたキートップシートと、
前記キートップシートに対して裏側の面に押圧用の突起を有するプッシャーシートと、
前記キートップシートと前記プッシャーシートとの間に設けられ、前記キートップシートおよび前記プッシャーシートに対して第１の位置から第２の位置までの範囲で往復移動可能なスライドシートとを備え、
前記スライドシートにおける前記キートップシート側の面には、
前記第１の位置において前記透明部から第１の方向に判読可能に表記が設けられた第１の表記部と、
前記第２の位置において前記透明部から前記第１の方向とは異なる第２の方向に判読可能に表記が設けられた第２の表記部とが設けられ、
前記キートップシートと前記プッシャーシートと前記スライドシートとのうち、互いに対向する二面の少なくとも一方の一部に凹凸が形成されているキーシート。
【請求項２】
前記スライドシートの前記表記を覆う被覆層を有し、
前記被覆層の表面に前記凹凸が形成されている請求項１に記載のキーシート。
【請求項３】
前記スライドシートが前記第１の位置および前記第２の位置にあるときに、
前記透明部から判読可能な表記の領域に前記被覆層が形成されているとともに、前記凹凸が前記表記に対応した形状に形成されている請求項２に記載のキーシート。
【請求項４】
前記被覆層が前記スライドシートの全域に形成されている請求項２に記載のキーシート。
【請求項５】
前記プッシャーシートの裏側に発光部が設けられている請求項１に記載のキーシート。
【請求項６】
請求項１ないし請求項５のいずれかに記載のキーシートを備えた携帯電子機器。
【発明の詳細な説明】
【技術分野】
【０００１】
本発明は、表記部の向きに合わせて最適な向きで操作できるキーシートおよびこのキーシートを用いた携帯電子機器に関するものである。
【背景技術】
【０００２】
２つの筐体が重なり合うように連結した携帯電子機器である折り畳み式の携帯端末では、ユーザーは、折り畳み式携帯端末を連結部の第１の回動軸を中心として開いた状態（縦開き状態）にして、テンキーなどの操作部を備えた第１の筐体を手で持ち、表示部を備えた第２の筐体を見るという使い型が一般的である。
【０００３】
ところで、近年、テレビジョン放送を受信して表示する携帯端末が実用化され、普及されてきたが、横長のテレビジョン放送画面を見るには、表示部を横長にする横開き状態の方が見やすい。そこで、第２の筐体を、第１の回動軸に直交する第２の回動軸まわりに回動させて開く構造が提案されている（例えば特許文献１参照）。
【０００４】
従来から提案されている折り畳み式の携帯端末の一例を図１０と図１１に示す。
図１０の携帯端末１００は、操作部１０１を有する第１の筐体１０２と、表示部１０３を有する第２の筐体１０４と、連結部１０５の３つの筐体で構成されている。そして、第１の筐体１０２に設けた第１回動軸１０２ａに連結部１０５を矢印Ａ方向に回動自在に支持している。連結部１０５を矢印Ａ方向に回動することにより、第１の筐体１０２に対して第２の筐体１０４を第１の方向に開いて、縦開き状態とできる。
【０００５】
また、図１１に示すように、連結部１０５には第２回動軸１０４ａが設けられており、第２の筐体１０４を矢印Ｂ方向に回動自在に支持している。従って、第２の筐体１０４を矢印Ｂ方向へ回動させることにより、第１の筐体１０２に対して第２の筐体１０４を第２の方向に開いて、横開き状態とできる。
【０００６】
しかしながら、この構造では縦開き状態、もしくは横開き状態のどちらかの状態にしか操作部の表示を合わせることができない。そのため、表示面と操作表示があっていない状態では直感的に操作しにくいという問題があった。
そこで、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示を切り替える電子機器のキー構造が知られている（例えば、特許文献２参照）。
【特許文献１】特開２００６−２２８９９号公報
【特許文献２】特開２００２−７０３４号公報
【発明の開示】
【発明が解決しようとする課題】
【０００７】
しかしながら、従来のようなキー機能表示を機械的に切り替える場合、薄型の電子機器では、内部のスライドシートと他の部分とが接触し、接触抵抗が高くなることでスライドシートに表記された印刷内容が透明部の位置まで移動することができず、表示がずれてしまう問題があった。
さらに、指などで操作部を押下した場合、内部で密閉空間が作られて、スライドシートが貼りついてしまう問題が発生した。
【０００８】
本発明は、従来の問題を解決するためになされたもので、キートップシートあるいはプッシャーシートに対して、スライドシートの円滑な摺動性を確保し、貼り付きを防止できるキーシート構成を提供し、このキーシートを用いた携帯電子機器を提供することを目的とする。
【課題を解決するための手段】
【０００９】
本発明のキーシートは、所定位置に透明部が設けられたキートップシートと、前記キートップシートに対して裏側の面に押圧用の突起を有するプッシャーシートと、前記キートップシートと前記プッシャーシートとの間に設けられ、前記キートップシートおよび前記プッシャーシートに対して第１の位置から第２の位置までの範囲で往復移動可能なスライドシートとを備え、前記スライドシートにおける前記キートップシート側の面には、前記第１の位置において前記透明部から第１の方向に判読可能に表記が設けられた第１の表記部と、前記第２の位置において前記透明部から前記第１の方向とは異なる第２の方向に判読可能に表記が設けられた第２の表記部とが設けられ、前記キートップシートと前記プッシャーシートと前記スライドシートとのうち、互いに対向する二面の少なくとも一方の一部に凹凸が形成されている構成を有している。
【００１０】
これにより、スライドシートが第１の位置から第２の位置に移動する場合に、キートップシートあるいはプッシャーシートとの間で発生する接触面同士の抵抗を減らすことができるため、スライドシートを低加重で移動させることができる。そのため、所定の位置までスライドシートを低荷重で動かすことができる。また、凹凸を設けていることによりキートップシートを押した際にキートップシートとスライドシート、あるいはスライドシートとプッシャーシートの間で密閉空間を作り出すことが困難となり、貼り付き現象が発生しなくなる。
【００１１】
また、本発明のキーシートは、前記スライドシートの前記表記を覆う被覆層を有し、前記被覆層の表面に前記凹凸が形成されている構成を有している。
【００１２】
この構成により、スライドシートの表記を透明な被覆層で覆うので、スライドシートを第１の位置から第２の位置に移動させる際に、キートップシートと接触した場合に、表記に擦過傷がついた場合でも、視認した場合に目立たせなくすることが可能である。
【００１３】
また、本発明のキーシートは、前記スライドシートが前記第１の位置および前記第２の位置にあるときに、前記透明部から表記内容が見える領域に前記被覆層が形成されているとともに、前記凹凸が前記表記に対応した形状に形成されている構成を有している。
【００１４】
また、本発明のキーシートは、前記プッシャーシートの裏側に発光部が設けられている構成を有している。
【００１５】
この構成により、スライドシートの表記が、プッシャーシートの裏側に設けられた発光部からの光により照らされて、キートップシートの透明部から見えるので、表記が見やすいとともに、外観品位も向上する。
【００１６】
さらに、本発明の携帯電子機器は、前述したキーシートを備えた構成を有している。
【００１７】
この構成により、周囲が暗いときでも確実に入力したいキーを押すことができる。
【発明の効果】
【００１８】
本発明は、キートップシートあるいはプッシャーシートに対するスライドシートの貼り付きを防止して、円滑な摺動性を確保できるキーシートおよびこのキーシートを用いた携帯電子機器を提供できるものである。
【発明を実施するための最良の形態】
【００１９】
以下、本発明の実施形態のキーシートおよび携帯電子機器について、図面を用いて説明する。
図１は本発明にかかる実施形態の携帯電子機器の縦開き状態を示す斜視図、図２は携帯電子機器の横開き状態を示す斜視図、図３はキーシートの分解斜視図、図４はキーシートの斜視図、図５（Ａ）はキーシートの分解斜視図、図５（Ｂ）はドームスイッチにキーシートを重ねた状態を示す断面図、図６は図４中ＶＩ−ＶＩ位置の断面図、図７は縦開き状態における表記を示す正面図、図８は横開き状態における表記を示す正面図、図９（Ａ）〜（Ｂ）は凹凸の形成の変形例を示す断面図である。
【００２０】
図１および図２に示すように、実施形態に係る携帯電子機器としての折り畳み式携帯端末１０では、操作部２１のある第１の筺体である下筐体２０と、表示部３１を有する第２の筐体である上筐体３０とが、連結部４０により回動可能に連結されている。
【００２１】
すなわち、図１に示すように、折り畳み式携帯端末１０では、例えば通話やメールを行う際に、上筐体３０を連結部４０の第１回動軸４１回りに回動させて、下筐体２０に対して縦方向に開く縦開き状態と、図２に示すように、例えばテレビを受信したりゲームをしたりする際に、上筐体３０を連結部４０の第２回動軸４２回りに回動させて、下筐体２０に対して横方向に開く横開き状態とが可能となっている。
【００２２】
操作部２１には、四方向キー２２および文字や数字を入力するテンキー２３が設けられている。テンキー２３では、縦開き状態で使用する際には、電話機として使えるように、規格で定められた電話機用のテンキー２３配列で、第１の方向（図１中矢印Ａ方向）を上下とする向きで表示される。また、横開き状態で使用する際には、テレビ放送受信機として使いやすいように、第１列目は左から「１」、「２」、「３」、「４」と並んでいる。第２列目は左から「５」、「６」、「７」、「８」と並んでいる。そして、第３列目は「９」、「10」、「11」、「12」と並んでいる。数字の向きは、第２の方向（図２中矢印Ｂ方向）を上下とする向きで表示される。
【００２３】
操作部２１においては、下筐体２０の上面２０ａに、四方向キー２２およびテンキー２３に対応して窓２２ａ、２３ａが設けられており、スライドシート５４に表示された各キーの表示が見えるようになっている。
【００２４】
下筐体２０の内部には、操作部２１を構成するキーシート５０が設けられている。図３に示すように、キーシート５０は、所定位置に透明部５１ａが窓状に設けられたキートップシート５１と、キートップシート５１とドームスイッチと５２の間に設けられたプッシャーシート５３と、キートップシート５１とプッシャーシート５３との間に設けられ、キートップシート５１およびプッシャーシート５３に対して面方向に沿って所定の範囲で往復移動可能なスライドシート５４とを積層して構成されている。
【００２５】
図３、図５および図６に示すように、キートップシート５１においては、透明な本体５１ｂの表面に、操作部２１における窓２２ａ、２３ａに対応する部分以外の部分に、不透明な塗料５１ｃを塗布することにより、透明部５１ａを形成している。これにより、窓２２ａ、２３ａに対応した位置に透明部５１ａを容易に形成できる。
従って、透明部５１ａは、塗料５１ｃの厚さ分だけ凹んで形成されることになる。
【００２６】
図３に示すように、スライドシート５４は、薄いが、座屈しない程度の剛性を有するプラスチックシートでできており、一端に凸状のフォロア取付部５４ａが形成されている。フォロア取付部５４ａには、第１の回動軸４１に設けられているフォロア移動機構４１ａによって往復移動するフォロア部材５７が取付けられる。また、スライドシート５４の周囲には、枠部５６が設けられており、スライドシート５４の動きを規制するためにスライドシート５４の周囲を囲むように設けられる。
【００２７】
なお、枠部５６の下面(裏面)の一部には、段差部５６ａを設けて枠部５６の肉厚を薄くし、上述したスライドシート５４のフオロア取付部５４ａが通るようにしている。枠部５６の下面には、キーのクリック感を向上させるためにプッシャーシート５３が、貼着して固定されている。
【００２８】
スライドシート５４は、枠部５６の下面にプッシャーシート５６を貼着して固定した状態で、プッシャーシート５６の上に置き、スライドシート５４の一端に形成したフォロア取付部５４ａを枠部５６の段差部５６ａとプッシャーシート５３との隙間に通して、フォロア取付部５４ａにフォロア部材５７を固定する。このフォロア部材５７は、第１回動軸４１の回転に対応することでスライドシート５４を往復移動させる。
【００２９】
なお、スライドシート５４は、第１回動軸４１が回転した場合のみ移動し、第１回動軸４１が回転しない場合、すなわち、上下筐体２０、３０を閉じた状態および上筐体３０を横開きにした場合には、スライドシート５４は図示省略のバネ部材により付勢されて、原点位置（横開き状態に適した位置）にあって移動しない。
【００３０】
従って、上筐体３０の開き方（第１回動軸４１の回転の仕方）に応じたフォロア部材５７が往復移動に伴い、スライドシート５４は、枠部５６の内側で、キートップシート５１とプッシャーシート５３との隙間を移動可能に保持されることになる。
すなわち、スライドシート５４は、例えば上筐体３０を第１回動軸４１を中心として縦開きにして電話機として使用する際には、図４中Ａ方向へ移動して縦開き状態に適した第１の位置（図７参照）に位置する。
また、上筐体３０を第２回動軸４２を中心として横開きにしてテレビ受信機として使用する際には、横開き状態に適した第２の位置（図８参照）に位置する。スライドシート５４は、この第１の位置と第２の位置の間で往復移動可能となっている。
【００３１】
図４に示すように、スライドシート５４におけるキートップシート５１側の面（ここでは上面）には、第１の位置（縦開き状態）においてキートップシート５１の透明部５１ａから第１の方向（縦開き状態における上下方向）に判読可能に表記が設けられた第１の表記部５８（図７参照）と、第２の位置（横開き状態）において透明部５１ａから第１の方向とは異なる第２の方向（横開き状態における上下方向）に判読可能に表記が設けられた第２の表記部５９（図８参照）とが設けられている。第１の表記部５８と第２の表記部５９により、スライドシート５４の表記部が構成される。
【００３２】
図７に示すように、第１の表記部５８と第２の表記部５９とは、キートップシート５１における透明部５１ａの、スライドシート５４のスライド方向の間隔をＰとした場合に、その半分（Ｐ／２）だけずらして配置されている。
なお、スライド方向と直交する方向に対しては、同じ位置である。これにより、スライドシート５４をＰ／２だけずらすことにより、第１の表記部５８と第２の表記部５９とを容易に変えることができる。
【００３３】
すなわち、前述したように、第１の表記部５８においては、電話機として使えるように、規格で定められた電話機用のテンキー２３配列で、第１の方向（図１中矢印Ａ方向）を上下とする向きで表示される。また、第２の表記部５９においては、テレビ放送受信機として使いやすいように、第１列目は左から「１」、「２」、「３」、「４」、第２列目は左から「５」、「６」、「７」、「８」、第３列目は「９」、「１０」、「１１」、「１２」と並んでおり、数字の向きは、第２の方向（図２中矢印Ｂ方向）を上下とする向きで表示される。そして、第１の表記部５８と第２の表記部５９とが、スライドシート５４のスライド量に対応して、スライド方向に隣接して設けられている。
【００３４】
図６に示すように、キーシート５０においては、キートップシート５１とプッシャーシート５３とスライドシート５４とのうち、互いに対向する二面の少なくとも一方の一部に他方との密着を緩和する凹凸６１が形成されている。
すなわち、スライドシート５４のキートップシート側には、凹凸６１が形成されており、スライドシート５４と、キートップシート５１の密着（貼り付き）を防止して、スライドシート５４のスライドをスムーズに行うことができるようにしている。
【００３５】
図５（Ａ）および（Ｂ）に示すように、ここでは、スライドシート５４のキートップシート側に、スライドシート５４の第１の表記部５８および第２の表記部５９を覆う被覆層５５を設け、この被覆層５５の表面に凹凸６１が形成されている。被覆層５５は、例えば、スライドシート５４が第１の位置および第２の位置にあるときに、キートップシート５１の透明部５１ａから目視できる領域にのみ設けることができる。
あるいは、第１の表記部５８および第２の表記部５９を覆う全域に被覆層５５を設けることができる。この場合には、スライドシート５４および被覆層５５の製造が容易になる。
なお、図５（Ａ）に示すように、第１の表記部５８および第２の表記部５９の表記（数字や文字）と重なるように、被覆層５５の表面（上面）に例えばＵＶ照射により凹凸６１を設けることができる。あるいは、被覆層５５の上面全面に凹凸を設けることもできる。
【００３６】
これにより、スライドシート５４の表記を透明な被覆層５５で覆うので、スライドシートがキートップシートと接触した場合に、擦過傷がついた場合でも目立ちにくくできる。また、被覆層５５の表面に凹凸６１が形成されているので、キートップシート５１にスライドシート５４が貼り付くのを防止して、スムーズに移動させることができる。
【００３７】
なお、凹凸６１の表面の凸形状の高さとしては、５〜６０μｍとするのが効果的である。
また、凹凸を形成するための被覆層５５の材質としては、ＵＶ硬化のための材料にメジューム剤を混ぜたものを使用するのが一般的である。
【００３８】
図３および図５（Ｂ）に示すように、スライドシート５４の下側にはプッシャーシート５３が設けられており、さらにプッシャーシート５３の下側にはドームスイッチ５２が設けられている。プッシャーシート５３は全体の厚さが薄く、キートップシート５１を押すことによりスライドシート５４を介してプッシャーシート５３たわませることで、直下のドームスイッチ５２のドーム５２ａ表面をへこませ、ドーム５２ａ内面を下降させて、基板５２ｂに設けられている櫛歯形電極に接触させて、キー入力を実現している。
【００３９】
また、ドームスイッチ５２におけるドーム５２ａ間の隙間には、バックライトである発光部としてのＬＥＤ５２ｃが設けられている。これにより、スライドシート５４の表記５８、５９が、プッシャーシート５３の裏側に設けられたＬＥＤ５２ｃからの光により照らされて、キートップシート５１の透明部５１ａから見えるので、第１の表記部５８および第２の表記部５９が見やすいとともに、外観品位を向上させることができる。
【００４０】
次に、縦開き状態および横開き状態における操作部２１における表示について説明する。
図７に示すように、下筐体２０に対して上筐体３０を第１回動軸４１周りに縦方向に開けると、第１回動軸４１の回転に応じて、第１回動軸４１に設けられているフォロア移動機構４１ａがキーシート５０のスライドシート５４に取付けられているフォロア部材５７を移動させて、スライドシート５４を移動させる。
これにより、第１の表記部５８がキートップシート５１の透明部５１ａを通して見えるので、電話やメールを容易に行うことができる。
なお、第２の表記部５９は、キートップシート５１の塗装部分５１ｃに隠れて見えない（破線で表示）。
【００４１】
また、図８に示すように、下筐体２０に対して上筐体３０を第２回動軸４２周りに横方向に開けると、第１回動軸４１は回転しないので、フォロア部材５１も移動せず、スライドシート５４は移動しない。上下筐体２０、３０を閉じた状態および横開き状態においては、スライドシート５４は原点位置にあり、第２の表記部５９がキートップシート５１の透明部５１ａを通して見える位置にある。
このため、横開き状態では、テレビの受信やゲームの操作を容易に行うことができる。
なお、第１の表記部５８は、キートップシート５１の塗装部分５１ｃに隠れて見えない（破線で表示）。
【００４２】
以上、説明したキーシート５０および携帯端末１０によれば、透明部５１ａを有するキートップシート５１と、ドームスイッチ５２とプッシャーシート５３と、キートップシート５１とプッシャーシート５３との間に設けられた隙間の間に配置された第１の表記部５８および第２の表記部５９を有するスライドシート５４とでキーシート５０を構成し、スライドシート５４あるいはスライドシート５４と面接触するキートップシート５１およびプッシャーシート５３の少なくとも一方の一部に凹凸６１を設けたので、接触面同士の密着を緩和することができ、かつ、接触したときの抵抗を下げることができるためスライドシート５４のスライド性を確保できる。
【００４３】
このため、スライドシート５４をスライドさせることにより、スライドシート５４におけるキートップシート５１側の面に設けられて、縦開き状態においてキートップシート５１の透明部５１ａから縦開き状態において読む向きに表記が設けられた第１の表記部５８と、横開き状態において透明部５１ａから横開き状態において読む向きに表記が設けられた第２の表記部５９とを、スムーズに切り替えることができる。
これにより、縦開き状態で例えば電話として使用する場合および横開き状態で例えばテレビ受信機として使用する場合に適したキー表示を得ることができる。
【００４４】
なお、本発明のキーシートおよび携帯電子機器は、前述した実施形態に限定されるものでなく、適宜な変形，改良等が可能である。
前述した実施形態においては、凹凸６１をスライドシート５４を覆う被覆層５５の全面に設けた場合を例示したが、これに限るものではない。
例えば、図９（Ａ）に示すキーシート５０Ｂのように、スライドシート５４の表面に被覆層５５を設けず、第１の表記部５８および第２の表記部５９の表記の表面にのみ凹凸６１を設けることができる。
また、図９（Ｂ）に示すキーシート５０Ｃのように、キートップシート５１においてスライドシート５４に対向する面に凹凸６１を設けることができる。
さらに、図９（Ｃ）に示すキーシート５０Ｄのように、スライドシート５４においてプッシャーシート５３に対向する面で、第１の表記部５８および第２の表記部５９の表記に対応する位置に、凹凸６１を設けることができる。
このような変形例においても、前述した実施形態にかかるキーシート５０および携帯端末１０と同様の作用・効果を得ることができる。
また、凹凸６１を、例えばスライドシート５４の上下両面に設けてもよい。
また、携帯電子機器は、携帯電話だけでなく、ＰＤＡ、ノートパソコン、ゲーム機等の持ち運び可能な電子機器であってもよい。
【図面の簡単な説明】
【００４５】
【図１】本発明にかかる実施形態の携帯電子機器の縦開き状態を示す斜視図
【図２】本発明にかかる実施形態の携帯電子機器の横開き状態を示す斜視図
【図３】本発明にかかる実施形態のキーシートの分解斜視図
【図４】キーシートの斜視図
【図５】図５（Ａ）はキーシートの分解斜視図、図５（Ｂ）はドームスイッチにキーシートを重ねた状態を示す断面図
【図６】図４中ＶＩ−ＶＩ位置の断面図
【図７】縦開き状態における表記を示す正面図
【図８】横開き状態における表記を示す正面図
【図９】（Ａ）〜（Ｃ）は凹凸の形成の変形例を示す断面図
【図１０】従来の折り畳み式携帯電話の縦開き状態を示す斜視図
【図１１】従来の折り畳み式携帯電話の横開き状態を示す斜視図
【符号の説明】
【００４６】
１０  携帯端末（携帯電子機器）
５０  キーシート
５１  キートップシート
５１ａ  透明部
５２  ドームスイッチ
５２ｃ  ＬＥＤ（発光部）
５３  プッシャーシート
５４  スライドシート
５５  被覆層
５８  第１の表記部
５９  第２の表記部
６１  凹凸
【図１】
2010079530.tif 000003
【図２】
2010079530.tif 000004
【図３】
2010079530.tif 000005
【図４】
2010079530.tif 000006
【図５】
2010079530.tif 000007
【図６】
2010079530.tif 000008
【図７】
2010079530.tif 000009
【図８】
2010079530.tif 000010
【図９】
2010079530.tif 000011
【図１０】
2010079530.tif 000012
【図１１】
2010079530.tif 000013